(57)【要約】【課題】  モノクロ読み取り時は駆動する回路を少なくし、消費電力、ノイズの影響を軽減し得るカラー画像読取装置を提供する。【解決手段】  駆動回路１０はカラー読み取りを行う時に電力制御回路１１からの指令により、複数のラインイメージセンサ１Ｒ、１Ｇ、１Ｂの全てと、これらラインイメージセンサに対応する信号処理回路２０Ｒ、２０Ｇ、２０Ｂの全てを駆動し、モノクロ読み取り時はラインイメージセンサ１Ｇと、このラインイメージセンサ１Ｇに対応する信号処理回路２０Ｇのみを駆動状態とし、他のラインイメージセンサ１Ｒ、１Ｂと、これらのラインイメージセンサに対応する信号処理回路２０Ｒ、２０Ｂを非駆動状態とする。【選択図】      図１
2005252636.tif 000002
【特許請求の範囲】
【請求項１】
複数の色成分にそれぞれ対応する複数のラインイメージセンサと、各ラインイメージセンサにそれぞれ対応する複数系統の処理回路とを備えたカラー画像読取装置において、
カラー読み取りを行う場合、複数のラインイメージセンサの全てを駆動するとともに、駆動する複数のラインイメージセンサに対応する全ての系統の処理回路を駆動し、
モノクロ読み取りを行う場合、複数のラインイメージセンサのうちの一部に対応する系統の処理回路を駆動するとともに、残りの系統の処理回路を非駆動状態に維持するように制御する駆動制御手段を備えることを特徴とするカラー画像読取装置。
【請求項２】
複数のラインイメージセンサがラインイメージセンサ毎個別に駆動可能であり、前記駆動制御手段は、モノクロ読み取りを行う場合、一部のラインイメージセンサを駆動するとともに、残りのラインイメージセンサを非駆動状態に維持するように制御することを特徴とする請求項１記載のカラー画像読取装置。
【請求項３】
ライン補正後の複数色成分の画像信号を入力として異なる色空間の画像信号を出力する色空間変換手段を備え、前記処理回路はラインイメージセンサの出力部から色空間変換手段の入力部までの回路であることを特徴とする請求項１又は請求項２記載のカラー画像読取装置。
【発明の詳細な説明】
【技術分野】
【０００１】
この発明は、カラー読み取りと、モノクロ読み取りが可能なカラー画像読取装置に関する。
【背景技術】
【０００２】
従来、カラー画像読取装置は、各色成分（例えばＲ、Ｇ、Ｂの３成分）毎に、それぞれラインイメージセンサと、ＡＦＥ回路と、Ａ／Ｄ変換器と、シェーディング補正回路と、ライン／ズレ補正回路とを有する読取回路系を有し、各読取回路系毎に、それぞれ各色成分を読み取るようにしている。この種のカラー画像処理装置において、カラー読み取り時と同様に、各読取回路系を駆動し、そのうちの１つの読取回路系の出力信号を選択的に使用し、モノクロ読み取りも可能としている。
【０００３】
ところで、３ラインセンサを用いたカラー画像読取装置において、各色成分信号のライン単位での位置ずれを遅延処理によって補正するとともに、１ライン分未満の位置ずれ（変倍時に生じるずれ）を２点間補間処理によって補正する技術が開示されている（例えば、特許文献１参照）。
【特許文献１】特開２００２−２８１３２４号公報
【発明の開示】
【発明が解決しようとする課題】
【０００４】
上記従来のカラー画像読取装置において、モノクロ読み取りを行う場合でも、出力信号を使用しない読み取り回路、具体的には、例えばＲ成分やＢ成分のラインセンサ及び増幅器、Ａ／Ｄ変換器まで駆動する。そのため、消費電力が大きくなるという問題がある。
【０００５】
また、カラー画像読取装置では、アナログ（画像）信号とデジタル（駆動）信号は機器の都合上、同一基板上に混在してレイアウトされる。そして、同期信号である駆動信号は、そこからスイッチング・ノイズを発生し、影響を受け易いアナログ信号に干渉する。その結果、アナログ信号のＳＮを悪化させ、画質に影響を与える。他にデジタル信号は基本周波数の整数倍の高調波成分を含んでおり、この不要な高調波成分が放射ノイズとなる。上記従来装置のモノクロの読み取りでは使用しない回路系まで駆動するので、その分、ノイズ源である駆動信号のため、アナログ信号への影響や外部機器への影響が大となるという問題がある。
【０００６】
この発明は上記問題点に着目してなされたものであって、モノクロ読み取り時は駆動する回路を少なくし、消費電力、ノイズの影響を軽減し得るカラー画像読取装置を提供することを目的とする。
【０００７】
なお、上記特許文献１に記載の技術は、２点間補間処理回路をＲの出力系及びＢの出力系のみに設ける点を特徴とし、つまりカラー読み取り時に使用する回路（補間処理回路）を必要となる出力系のみに設けるというものであるが、カラー読み取り時に使用するデバイスや回路を、モノクロ読み取り時に非動作状態とする本願発明の特徴点は開示されていない。
【課題を解決するための手段】
【０００８】
この発明のカラー画像読取装置は、複数の色成分にそれぞれ対応する複数のラインイメージセンサと、各ラインイメージセンサにそれぞれ対応する複数系統の処理回路とを備えたカラー画像読取装置において、カラー読み取りを行う場合、複数のラインイメージセンサの全てを駆動するとともに、駆動する複数のラインイメージセンサに対応する全ての系統の処理回路を駆動し、モノクロ読み取りを行う場合、複数のラインイメージセンサのうちの一部に対応する系統の処理回路を駆動するとともに、残りの系統の処理回路を非駆動状態に維持するように制御する駆動制御手段を備えている。
【０００９】
この発明のカラー画像読取装置において、複数のラインイメージセンサがラインイメージセンサ毎個別に駆動可能であり、前記駆動制御手段は、モノクロ読み取りを行う場合、一部のラインイメージセンサを駆動するとともに、残りのラインイメージセンサを非駆動状態に維持するように制御するものであっても良い。  また、この発明のカラー画像読取装置において、ライン補正後の複数色成分の画像信号を入力として異なる色空間の画像信号を出力する色空間変換手段を備え、前記処理回路はラインイメージセンサの出力部から色空間変換手段の入力部までの回路であることとしても良い。
【発明の効果】
【００１０】
この発明によれば、カラー読み取りを行う場合、複数のラインイメージセンサの全てを駆動するとともに、駆動する複数のラインイメージセンサに対応する全ての系統の処理回路を駆動し、モノクロ読み取りを行う場合、複数のラインイメージセンサのうちの一部に対応する系統の処理回路を駆動するとともに、残りの系統の処理回路を非駆動状態に維持するように制御するものであるから、モノクロ読み取り時に、不要な処理回路を非駆動状態とするので、無駄な電力消費を軽減できるとともに、ノイズによる画質等への悪影響を軽減できる。
【発明を実施するための最良の形態】
【００１１】
以下、実施の形態により、この発明をさらに詳細に説明する。図１は、この発明の一実施形態であるカラー画像読取装置の要部構成を示すブロック図である。  この実施形態カラー画像読取装置は、ラインイメージセンサ１Ｒと、このラインイメージセンサ１Ｒの読み取り信号を処理するＲ信号処理回路２０Ｒと、ラインイメージセンサ１Ｇと、このラインイメージセンサ１Ｇの読み取り信号を処理するＧ信号処理回路２０Ｇと、ラインイメージセンサ１Ｂと、このラインイメージセンサ１Ｂの読み取り信号を処理するＢ信号処理回路２０Ｂと、色変換部６と、画像処理部７と、画像メモリ８と、出力装置９と、駆動回路１０と、電力制御回路１１とを備えている。
【００１２】
ラインイメージセンサ１Ｒ、１Ｇ、１Ｂは、それぞれ原稿の１走査線の画像のＲ信号、Ｇ信号、Ｂ信号を分離して読み取る。ここでは、３ラインタイプのＣＣＤで、ラインイメージセンサ１Ｒ、１Ｇ、１Ｂが構成され、各ラインイメージセンサ１Ｒ、１Ｇ、１Ｂへの駆動信号の入力信号は共通のものである。
【００１３】
Ｒ信号処理回路２０Ｒは、ＡＦＥ（アナログフロントエンド）回路２Ｒと、Ａ／Ｄ変換器３Ｒと、シェーディング補正回路４Ｒと、ライン／ズレ補正回路５Ｒとを含む回路である。ＡＦＥ回路２Ｒは、ラインイメージセンサ１Ｒの出力を受けて、アナログ増幅する。Ａ／Ｄ変換器３Ｒは、ＡＦＥ回路２Ｒのアナログ出力を受けて、デジタルデータに変換して多値化出力する。シェーディング補正回路４Ｒは、シェーディングＲＡＭを含み、原稿読み取り時のＡ／Ｄ変換器３Ｒの出力をシェーディングＲＡＭに記憶してあるシェーディング補正データにより、シェーディング補正し、出力する。ライン／ズレ補正回路５Ｒは、ライン単位の位置ズレを補正する。つまり、ラインイメージセンサ間の副走査方向の物理的なズレを補正するとともに、変倍時に（相対移動速度の増減時）に生じる１ライン未満の位置を補正するメモリである。
【００１４】
Ｇ信号処理回路２０Ｇ、Ｂ信号処理回路２０Ｂも、Ｒ信号処理回路２０Ｒと同様に、ＡＦＥ回路２Ｇ、２Ｂと、Ａ／Ｄ変換器３Ｇ、３Ｂと、シェーディング補正回路４Ｇ、４Ｂと、ライン／ズレ補正回路５Ｇ、５Ｂとを備えている。
【００１５】
色空間変換部６は、ライン／ズレ補正回路５Ｒ、５Ｇ、５Ｂを経て入力されるＲ、Ｇ、Ｂ色空間を、Ｌａｂ（又はＹｃｃ）色空間に変換する。画像処理部７は拡大縮小、地色補正、平滑化、色調整、像域分離等の画像処理を行う。画像メモリ８は、画像処理後の画像信号を圧縮された状態で記憶する。圧縮方式は、多値の場合、例えばＪＰＥＧを使用し、２値の場合は、例えばＭＨ、ＭＲ、ＭＭＲを使用する。出力装置９は、例えばプリンタ装置又はＰＣのディスプレイである。  駆動回路１０は、電力制御回路１１から入力されるカラー読み取りである旨の駆動指令、モノクロ読み取りである旨の駆動指令に応じて、Ｒ信号処理回路２０Ｒ、Ｇ信号処理回路２０Ｇ、Ｂ信号処理回路２０Ｂを選択的に駆動する。
【００１６】
このカラー画像読取装置において、カラー読取モードで原稿画像が読み取られる場合は、電力制御回路１１よりカラー読み取りである旨の駆動指令が駆動回路１０に入力される。駆動回路１０は、駆動指令を受けると、Ｒ信号処理回路２０Ｒ、Ｇ信号処理回路２０Ｇ、及びＢ信号処理回路２０Ｂを駆動状態とする。また、ラインイメージセンサ１Ｒ、１Ｇ、１Ｂ、その他の回路部も駆動状態とする。原稿読み取りが実行されると、ラインイメージセンサ１Ｒで読み取られたＲ信号はＲ信号処理回路２０Ｒで信号処理され、出力されるＲデータが色空間変換部６に入力される。また、ラインイメージセンサ１Ｇで読み取られたＧ信号は、Ｇ信号処理回路２０Ｇで信号処理され、出力されるＧデータが色空間変換部６に入力される。同様に、ラインイメージセンサ１Ｂで読み取られたＢ信号は、Ｂ信号処理回路２０Ｂで信号処理され、出力されるＢデータが色空間変換部６に入力される。Ｒ信号、Ｇ信号、Ｂ信号は、ライン／ズレ補正回路５Ｒ、５Ｇ、５Ｂの作用により、物理的な位置ずれがない状態で色空間変換部６に入力される。
【００１７】
色空間変換部６では入力されたＲＧＢの色空間信号をＬａｂの色空間信号に変換する。この色空間変換Ｌａｂ信号を画像処理部７で所要の画像処理し、処理後のデータを圧縮して画像メモリ８に記憶される。この記憶されたデータは、適宜読み出され、出力装置９に出力される。
【００１８】
次に、モノクロ読み取りモードで原稿画像が読み取られる場合は、電力制御回路１１よりモノクロ読み取りである旨の駆動指令が駆動回路１０に入力される。駆動回路１０は、この駆動指令を受けると、Ｇ信号処理回路２０Ｇを駆動状態とする。しかし、Ｒ信号処理回路２０Ｒ、Ｂ信号処理回路２０Ｂは駆動状態としない（非駆動状態とする）。ラインイメージセンサ１Ｒ、１Ｇ、１Ｂは、３ラインタイプのＣＣＤセンサ１であり、駆動信号の入力端子は１個なので、駆動回路１０よりの駆動信号により、各ラインイメージセンサ１Ｒ、１Ｇ、１Ｂが駆動状態とされる。このように駆動信号の入力端子がＲＧＢで共通となっているタイプのラインイメージセンサを使用することにより、ラインイメージセンサの構成を簡単化できる。
【００１９】
ここで使用している３ラインタイプのＣＣＤセンサ１は、複数のラインイメージセンサを所定の間隔で平行に配置したものである。また、複数のラインイメージセンサは、それぞれ異なる色の色フィルタを受光部上に配置したものである。更に、複数のラインイメージセンサは、原稿に対して一体的に相対移動する。また、複数のラインイメージセンサは、それぞれ色フィルタに対応する色成分の画像信号を出力する。
【００２０】
ラインイメージセンサ１Ｒ、１Ｇ、１Ｂで読み取られたＲ信号、Ｇ信号、Ｂ信号は、それぞれＲ信号処理回路２０Ｒ、Ｇ信号処理回路２０Ｇ、Ｂ信号処理回路２０Ｂに入力されるが、駆動状態とされているＧ信号処理回路２０ＧでのみＧ信号が信号処理され、Ｇデータを出力する。しかし、Ｒ信号処理回路２０Ｒ、Ｂ信号処理回路２０Ｂは、駆動状態でないので、何らのデータも出力もされない。Ｇ信号処理回路２０Ｇより出力されるＧデータのみが色空間変換部６、画像処理部７でモノクロ処理され、画像メモリ８に記憶される。
【００２１】
この実施形態カラー画像読取装置では、モノクロ読み取り時においては、Ｇ信号処理回路２０Ｇのみを駆動状態とし、Ｒ信号処理回路２０Ｒ、Ｂ信号処理回路２０Ｂは非駆動状態としているので、装置全体として消費電力を軽減できる。また、ノイズ発生による画質、外部への影響を軽減できる。
【００２２】
なお、上記実施形態においては、ラインイメージセンサ１Ｒ、１Ｇ、１Ｂは、３ラインタイプのＣＣＤを用いており、入力端子が１個であるため、モノクロ読み取り時においても、これらラインイメージセンサ１Ｒ、１Ｇ、１Ｂは全てを駆動している。これに対し、他の実施形態として、図２に示すように、ラインイメージセンサ１Ｒ、１Ｇ、１Ｂは、例えばそれぞれ個別の１ラインタイプのＣＣＤを用い、ＲＧＢそれぞれの色成分について個別に駆動状態と非駆動状態とを切り替え可能とすることができる。この場合、モノクロ読み取り時には、ラインイメージセンサ１Ｇのみ駆動し、ラインイメージセンサ１Ｒ、１Ｂは非駆動状態とする。図２においては、個別としたラインイメージセンサ１Ｒは、その出力がＡＦＥ回路２Ｒ、Ａ／Ｄ変換器３Ｒ、シェーディング補正回路４Ｒ、ライン／ズレ補正回路５ＲからなるＲ信号処理回路２０Ｒに接続されている。同様に、ラインイメージセンサ１Ｇは、その出力がＧ信号処理回路２０Ｇの入力部に接続され、ラインイメージセンサ１Ｂは、その出力がＢ信号処理回路２０Ｂの入力部に接続されている。
【００２３】
この実施形態カラー画像読取装置では、モノクロ読み取り時において、ラインイメージセンサ１Ｇ及びＧ信号処理回路２０Ｇのみ駆動状態とし、ラインイメージセンサ１Ｒ及びＲ信号処理回路２０Ｒ、ラインイメージセンサ１Ｂ及びＢ信号処理回路２０Ｂは非駆動状態としている。
【００２４】
この実施形態においては、モノクロ読み取り時に、ラインイメージセンサ１Ｒ、１Ｂも非駆動状態とするので、その分、より消費電力の軽減を図ることができる。
【００２５】
また、この発明の他の実施形態として、図３に示すように個別のラインイメージセンサ１Ｒ、１Ｇ、１Ｂに対応する各色毎の光源２１Ｒ、２１Ｇ、２１Ｂを設け、モノクロ読み取り時には一部の光源、例えばラインイメージセンサ１Ｇに対応する光源２１Ｇのみを駆動し、他の光源２１Ｒ、２１Ｂを非駆動とするようにしても良い。
【図面の簡単な説明】
【００２６】
【図１】この発明の一実施形態であるカラー画像読取装置の要部構成を示すブロック図である。
【図２】この発明の他の実施形態カラー画像読取装置を説明するためのブロック図である。
【図３】この発明の更に他の実施形態カラー画像読取装置を説明するためのブロック図である。
【符号の説明】
【００２７】
１Ｒ、１Ｇ、１Ｂ        ラインイメージセンサ
２Ｒ、２Ｇ、２Ｂ        ＡＦＥ回路
３Ｒ、３Ｇ、３Ｂ        Ａ／Ｄ変換器
４Ｒ、４Ｇ、４Ｂ        シェーディング補正回路
５Ｒ、５Ｇ、５Ｂ        ライン／ズレ補正回路
６                      色空間変換部
７                      画像処理部
８                      画像メモリ
９                      出力装置
１０                    駆動回路
１１                    電力制御回路
２０Ｒ                  Ｒ信号処理回路
２０Ｇ                  Ｇ信号処理回路
２０Ｂ                  Ｂ信号処理回路
２１Ｒ、２１Ｇ、２１Ｂ  ラインイメージセンサ用の光源
【図１】
2005252636.tif 000003
【図２】
2005252636.tif 000004
【図３】
2005252636.tif 000005